(57)【要約】【課題】  端末装置のデータバックアップに関し、バックアップデータの保存機器側と端末装置とを既存の通信機能を活用することにより、データバックアップの容易化を図る。【解決手段】  データ保存機能（データ保存装置２８）と通信機能（携帯電話通信モジュール１０）とを備える電子機器（６）に通信機能により接続する通信部（無線部２０）と、電子機器に対し、保存すべきデータを通信部に送信させるデータ処理部（ＣＰＵ１４）とを備え、電子機器に前記データを保存させる構成である。【選択図】        図１
2006025249.tif 000002
【特許請求の範囲】
【請求項１】
データ保存機能と通信機能とを備える電子機器に前記通信機能により接続する通信部と、
前記電子機器に対し、保存すべきデータを前記通信部に送信させるデータ処理部と、
を備え、前記電子機器に前記データを保存させる構成としたことを特徴とする端末装置。
【請求項２】
前記データ処理部は、前記電子機器から送信される報知情報を所定の時間間隔で監視する構成としたことを特徴とする請求項１記載の端末装置。
【請求項３】
端末装置に蓄積されるデータをバックアップする、端末装置のデータバックアップシステムであって、
データ保存機能と通信機能とを備える電子機器とともに端末装置を備え、
前記端末装置は、前記電子機器に前記通信機能により接続して通信を行う通信部と、この通信部を通して保存すべきデータを送信させるデータ処理部とを備えることにより、前記電子機器に前記データを保存させる構成としたことを特徴とする端末装置のデータバックアップシステム。
【請求項４】
端末装置に蓄積されるデータをバックアップする、端末装置のデータバックアップ方法であって、
データ保存機能と通信機能とを備える電子機器に前記通信機能により接続して通信を行う通信処理と、
保存すべきデータを送信させるデータ処理と、
を含むことを特徴とする端末装置のデータバックアップ方法。
【請求項５】
端末装置に蓄積されるデータをバックアップする、端末装置のデータバックアッププログラムであって、
データ保存機能と通信機能とを備える電子機器に対し、前記通信機能を用いて前記端末装置を接続させるステップと、
接続した前記電子機器に対し、前記端末装置から保存すべきデータを伝送させるステップと、
を含むことを特徴とする端末装置のデータバックアッププログラム。
【発明の詳細な説明】
【技術分野】
【０００１】
本発明は、携帯電話機等の端末装置のデータバックアップに関し、パーソナルコンピュータ等の電子機器をデータバックアップに用いる端末装置、そのデータバックアップシステム、そのデータバックアップ方法及びそのデータバックアッププログラムに関する。
【背景技術】
【０００２】
携帯電話機等の端末装置のデータをバックアップする方法には例えば、Bluetooth 等の近距離無線通信技術を利用して端末装置とパーソナルコンピュータ等の電子機器とを接続し、端末装置から保存すべきデータを電子機器に送信し、そのデータを電子機器に保存することが知られている。また、他のデータバックアップ方法として、端末装置と通信会社のサーバとをネットワークにより接続して端末装置のデータをサーバ側に伝送し、端末装置のデータを通信会社のサーバに保存する方法がある。
【０００３】
このような端末装置のデータの保存等に関し、次のような特許文献が存在している。
【特許文献１】特開２００２−１１２３１４号公報
【特許文献２】特開２００３−１９８６７８号公報
【特許文献３】特開２００３−５８２８６号公報
【特許文献４】特開平８−１８２０５２号公報
【発明の開示】
【発明が解決しようとする課題】
【０００４】
特許文献１には、携帯電話機、ＰＨＳ等の携帯端末が故障、紛失又は盗難等の場合に、ユーザのデータをＴＶ、ＰＣ、ルータ等の固定記憶装置に記憶させてバックアップをすることが開示されている。特許文献２には、携帯電話機等の携帯端末と無線通信接続された外部記憶装置を仮想メモリに使用し、この仮想メモリに携帯端末の一部のファイルをバックアップすることが開示されている。特許文献３には、携帯端末等の無線機器側のデータをバックアップサーバでバックアップする方法及びシステムとして、無線機器の電源投入等に応答し、又は最後のバックアップから所定時間経過の判断に応答してデータバックアップを行うことが開示されている。また、特許文献４には、無線端末に蓄積されているデータ、例えば、住所録、スケジュール、メモ等を利用者が指定するバックアップ時刻毎に無線基地局に送信し、そのデータを無線基地局でバックアップし、そのバックアップデータを必要に応じて無線端末側で受信することが開示されている。
【０００５】
ところで、端末装置のデータバックアップに関し、Bluetooth 等の近距離無線通信技術を用いれば、ケーブルの使用やその接続の手間を省くことはできる。しかし、斯かる技術を用いると、端末装置やデータバックアップ側の機器に新たにデバイスの追加が必要であり、装置のコスト、サイズ、重量増加等の要因になる。また、意図的にデータバックアップ作業を行わなければバックアップデータが更新されない場合には、端末装置のデータとバックアップデータにタイムラグが生じ、データバックアップの価値が半減することになる。ネットワークを介してサーバにデータを保存する場合、バックアップの都度、通信料金を発生させ、経済性に問題がある。近距離無線通信技術では、データの送信距離が短く、例えば、Bluetooth では約１０ｍの通信距離しかなく、端末装置のデータのバックアップ作業が近距離範囲に限定されてしまう。また、電子機器に保存したデータを端末装置で閲覧しようとすれば、予め記録媒体等に保存データを移しておくことが必要であり、保存データの参照に記録媒体を必要とする等、時間的、場所的な制約を受ける。
【０００６】
このため、端末装置のデータバックアップ及びその参照の容易化が要請されるところである。このようなデータバックアップに関し、特許文献１に開示されたシステムでは、固定記憶装置にストレージメディアを設け、これに故障、紛失等の応急対策としてデータを保存することが行われているにすぎない。特許文献２に開示されたものは、近距離で無線通信接続された外部記憶装置を用いたものにすぎず、データバックアップが近距離に限定されてしまう。特許文献３に記載されたデータバックアップ方法及びシステムでは、無線機器とサーバとを無線ネットワークを介して接続して無線機器のデータバックアップを実現しており、バックアップサーバやゲートウェイを必要とする等、大掛かりな構成である。また、特許文献４に記載されたシステムでは、無線基地局と無線端末とを無線で接続し、ユーザが設定した時刻毎に蓄積データを無線基地局に送信させてＲＡＭに格納させるものであり、多数の無線端末のデータを無線基地局を通して保存する大掛かりなシステムである。このように、従来のデータバックアップは、近距離範囲内に制限され、データのバックアップ及びそのデータの参照に大掛かりなシステムや記憶装置等を必要とされ、通信費用が嵩む等の不都合があった。
【０００７】
そこで、本発明は、端末装置のデータバックアップに関し、バックアップデータの保存機器側と端末装置とを既存の通信機能を活用することにより、データバックアップの容易化を図ることを目的とする。
【課題を解決するための手段】
【０００８】
上記目的を達成するため、本発明の端末装置は、データ保存機能と通信機能とを備える電子機器に前記通信機能により接続する通信部と、前記電子機器に対し、保存すべきデータを前記通信部に送信させるデータ処理部とを備え、前記電子機器に前記データを保存させる構成である。この端末装置において、通信部及びデータ処理部は端末装置に設置され、通信部はデータ保存側の機器である電子機器が備える通信機能を利用して電子機器と接続する。そして、データ処理部は、端末装置に蓄積されるデータを通信部を通して電子機器に送信し、送信されたデータは電子機器のデータ保存機能を利用して保存される。このデータは、電子機器から読み出して端末装置で利用することができる。
【０００９】
上記目的を達成するためには、前記データ処理部は、前記電子機器から送信される報知情報を所定の時間間隔で監視する構成としてもよい。即ち、携帯電話機が通信機能である間欠受信機能を備えていれば、この間欠受信機能を利用すればよく、この機能を用いて前記電子機器から送信される報知情報を所定の時間間隔で監視することができる。このように、所定の時間間隔で電子機器からの報知情報を監視すれば、データのバックアップの機会を損なうことがなく、蓄積したデータの保存を行うデータバックアップの性質上、合理的であり、連続した監視状態に比較し、節電が可能になる。
【００１０】
上記目的を達成するため、本発明の端末装置のデータバックアップシステムは、端末装置に蓄積されるデータをバックアップする、端末装置のデータバックアップシステムであって、データ保存機能と通信機能とを備える電子機器とともに端末装置を備え、前記端末装置は、前記電子機器に前記通信機能により接続して通信を行う通信部と、この通信部を通して保存すべきデータを送信させるデータ処理部とを備えることにより、前記電子機器に前記データを保存させる構成である。このデータバックアップシステムにおいて、電子機器は、データ保存機能と通信機能とを備えているので、端末装置の通信部の通信機能と電子機器側の通信機能とを用いることにより、両者の接続が行われる。端末装置に蓄積されたデータは、データ処理部により通信部を通して電子機器に伝送され、電子機器のデータ保存機能を利用して保存される。
【００１１】
上記目的を達成するため、本発明の端末装置のデータバックアップ方法は、端末装置に蓄積されるデータをバックアップする、端末装置のデータバックアップ方法であって、データ保存機能と通信機能とを備える電子機器に前記通信機能により接続して通信を行う通信処理と、保存すべきデータを送信させるデータ処理とを含む構成である。斯かる構成により、端末装置のデータバックアップの容易化が図られる。
【００１２】
上記目的を達成するため、本発明の端末装置のデータバックアッププログラムは、端末装置に蓄積されるデータをバックアップする、端末装置のデータバックアッププログラムであって、データ保存機能と通信機能とを備える電子機器に対し、前記通信機能を用いて前記端末装置を接続させるステップと、接続した前記電子機器に対し、前記端末装置から保存すべきデータを伝送させるステップとを含む構成である。同様に、端末装置のデータバックアップの容易化が図られる。
【発明の効果】
【００１３】
本発明によれば、次のような効果が得られる。
【００１４】
(1) データを蓄積する端末装置を、データ保存機能と通信機能とを備える電子機器に通信機能により接続することにより、端末装置のデータを電子機器側に転送して保存するので、データ蓄積側の端末装置やデータ保存側の電子機器が備える既存機能の活用により、端末装置側のデータを電子機器側に保存してバックアップすることができ、デバイスの追加が不要である。
【００１５】
(2) データを蓄積する端末装置を、データ保存機能と通信機能とを備える電子機器に通信機能により接続することにより、端末装置のデータを電子機器側に転送して保存するので、最新のデータに更新できるとともに、定期的にデータバックアップを行える等、その自動化を図ることができる。
【００１６】
(3) データを保存する電子機器の通信機能を利用し、端末装置と電子機器との接続を確立して電子機器と端末装置とを直結してデータ伝送を行うので、両者間に課金系統を介在させる必要がなく、経済的である。
【００１７】
(4) データを保存する電子機器の通信機能を利用し、端末装置と電子機器との接続を確立するので、両者間が数ｋｍ程度の離間距離であっても、バックアップ処理の自由度を高めることができる。
【００１８】
(5) 電子機器でバックアップされたデータは、電子機器が持つ通信機能を利用して端末装置に接続することにより、端末装置で任意に参照することができ、データ保存とその信頼性を高めることができる。
【発明を実施するための最良の形態】
【００１９】
本発明の実施形態について、図１を参照して説明する。図１は、本発明によるデータバックアップシステムの一例を示す図である。
【００２０】
この端末装置のデータバックアップシステム２は、端末装置（移動局）として例えば、携帯電話機４とともに、この携帯電話機４の対向装置として電子機器６を備える。電子機器６はパーソナルコンピュータ、ＰＤＡ（Personal Digital Assistant）、ＴＶ、カメラ、ゲーム機等、何れのものでもよい。そして、携帯電話機４と電子機器６とは例えば、移動体通信用帯域の電波８を用いてダイレクトに直結し、携帯電話機４のバックアップすべきデータを携帯電話機４から電子機器６に転送して保存させ、その保存データを必要に応じて携帯電話機４側に転送して利用可能にすることにより、携帯電話機４のデータバックアップの簡易性、利便性を向上させたものである。斯かる実施形態において、このデータバックアップシステム２では、携帯電話機４と電子機器６とを電波８を用いてダイレクトに直結しており、斯かる意味は、携帯電話機４と電子機器６との間に電波８のみが介在し、ネットワークや基地局、無線サーバ等のサードパーティを介在させない、両者間の直接的な通信を意味する。携帯電話機４は電話機能の他、通信機能を備えており、例えば、Ｗ−ＣＤＭＡ（Wideband− Code Division Multiple Access：広帯域−符号分割多重接続）方式の通信方式を用いた通信機能を備えている。また、電子機器６は、パーソナルコンピュータ等の各種情報処理装置であって、携帯電話機４との間で通信、データ授受が可能な構成として例えば、携帯電話通信モジュール１０を搭載している。この携帯電話通信モジュール１０は、対向装置である携帯電話機４に搭載された通信機能が例えば、Ｗ−ＣＤＭＡ方式の通信方式を用いた通信機能であれば、これに対応する通信機能を備える。携帯電話通信モジュール１０は、電子機器６に組み込まれ又は着脱可能に設置されてもよく、携帯電話機４のアンテナ１２に対応するアンテナ１３を備えている。
【００２１】
次に、本発明の端末装置について、図２を参照して説明する。図２は、本発明の端末装置の一例である携帯電話機を示すブロック図である。
【００２２】
携帯電話機４は、ハードウェアとしてＣＰＵ（Central Processing Unit ）１４、ＲＯＭ（Read-Only Memory）１６、データ保存装置１８、無線部２０、表示装置２２等を備えている。ＣＰＵ１４は、通信制御プログラム等の各種のプログラムの処理等を行うデータ処理部を構成する。ＲＯＭ１６には、電子機器６との通信接続を確立するための通信制御プログラム、蓄積データの他の機器への保存処理を行うデータバックアッププログラム等が格納されている。この場合、通信制御プログラムは、バックアップデータを電子機器６側に送信するためのプログラムを含んでいる。データ保存装置１８は例えば、フラッシュメモリで構成され、受信データ等の各種データを保存し、保存すべきデータにはアドレス帳データ等が含まれる。無線部２０は電波８を用いて送受信を行い、バックアップデータ等のデータの送受を実行する通信部であって、ベースバンド部、ＲＦ（Radio Frequency ）部等を備え、アンテナ１２に接続されている。また、表示装置２２は例えば、ＬＣＤ（Liquid Crystal Display）で構成され、受信データの内容表示等に用いられる。
【００２３】
次に、本発明の端末装置のデータバックアップシステムに用いられる電子機器について、図３を参照して説明する。図３は電子機器の一例を示すブロック図である。
【００２４】
電子機器６は例えば、パーソナルコンピュータで構成され、携帯電話通信モジュール１０を備えるとともに、ハードウェアとしてＣＰＵ２４、ＲＯＭ２６、データ保存装置２８、表示装置３０等を備えている。携帯電話通信モジュール１０は、携帯電話機４又は携帯電話基地局と同様に、ベースバンド部、ＲＦ部等を備えたモジュールであって、携帯電話機４との間で電波８を用いて通信をする機能部である。そして、ＣＰＵ２４は、通信制御プログラムの処理等を行うデータ処理部を構成する。ＲＯＭ２６には、通信制御プログラム、バックアップデータの保存場所や端末装置の固有の識別情報を指定するデータ処理プログラム等が格納されている。データ保存装置２８は例えば、ＨＤＤ（Hard Disc Drive ）で構成され、受信データ等の各種データを保存し、保存すべきデータには既述の携帯電話機４から伝送されたアドレス帳データ等が含まれる。また、表示装置３０は例えば、ＬＣＤで構成され、受信データの内容表示等に用いられる。
【００２５】
次に、電子機器と端末装置との通信接続における対応関係について、図４を参照して説明する。図４は、電子機器と携帯電話機との無線接続における対応付けを示している。
【００２６】
電子機器６と携帯電話機４との間のデータ伝送は、既述のＷ−ＣＤＭＡによる通信方式を用いて行われ、ＣＰＩＣＨ（Common Pilot Channel）、ＤＣＨ（Dedicated Channel ）、ＢＣＨ（Broadcast Channel ）、ＦＡＣＨ（Forward Access Channel）、ＲＡＣＨ（Random Access Channel ）等が用いられる。ＣＰＩＣＨは、物理チャネルの１つであって、電子機器６と携帯電話機４との直接的な同期確保のための情報信号である。ＤＣＨ、ＢＣＨ、ＦＡＣＨ及びＲＡＣＨはトランスポートチャネルである。このトランスポートチャネルは、各種データのデータレート或いは伝送形態の異なる論理チャネルの情報を物理チャネルに関係付ける機能を備えている。このトランスポートチャネルにおいて、ＤＣＨは、ユーザデータを伝送するために移動局に割り当てられた個別チャネル、ＢＣＨは、システム情報等を伝送する下り方向の報知チャネル、ＦＡＣＨは、制御情報、ユーザデータの伝送に使用する下り方向の共通チャネルであって、複数の移動局で共有し、主に、低レートデータ伝送に使用される。また、ＲＡＣＨは、制御情報、ユーザデータの伝送に使用する上り方向の共通チャネルであって、他の通信と関係なくランダムにアクセスする低レートデータ伝送に使用される。
【００２７】
そこで、このデータバックアップシステム、データバックアップ方法又はそのデータバックアッププログラムにあっては、チャネル推定・同期用の情報の通知にＣＰＩＣＨ、電子機器６のパスワード等の固有の識別情報の通知にＢＣＨを使用し、電子機器６から携帯電話機４に対するこれらの通知を自動的かつ定期的に実行させ、携帯電話機４ではこれらの情報を定期的に監視し、受信した情報内容を判断して電子機器６の認証処理の後、携帯電話機４の報知情報を電子機器６に送信する。そして、携帯電話機４の報知情報の送信にＲＡＣＨ、携帯電話機４と電子機器６との接続処理にＦＡＣＨ・ＲＡＣＨ、電子機器６から携帯電話機４に対するデータ送信要求にＤＣＨ、携帯電話機４から電子機器６へのバックアップデータ送信にＤＣＨを用いている。
【００２８】
そして、このデータバックアップシステム２では、携帯電話機４内のデータの自動的なデータ保存を可能にし、その場合、チャネル推定・同期用のＣＰＩＣＨ及び識別情報を含んだ報知情報としてＢＣＨが電子機器６から移動体通信用帯域の電波例えば、Ｗ−ＣＤＭＡ方式の電波により送信される。報知情報には、ＩＭＥＩ（International Mobile Equipment Identity ：国際移動機識別子）及びパスワード等の固有の識別情報が含まれ、ＩＭＥＩは、携帯電話機４又は電子機器６を識別するための情報である。対応する携帯電話機４は定期的にＣＰＩＣＨを監視するが、ＣＰＩＣＨの受信及び同期後、電子機器６からの報知情報としてＢＣＨを受信して識別情報を読み込み、携帯電話機４に予め保存されている識別情報と比較し、登録された特定の電子機器６であることの認証処理を行う。
【００２９】
認証処理を完了した携帯電話機４は、その識別情報を付したＲＡＣＨを電子機器６に向けて送信する。これに対応し、電子機器６はそのＲＡＣＨを受信し、電子機器６に予め登録されている携帯電話機４の識別情報との比較を行い、登録された特定の携帯電話機４であることの認証を行い、ＦＡＣＨ／ＲＡＣＨを用いて互いに接続を確立する。即ち、データ授受が可能な状態が確立する。そこで、電子機器６はＤＣＨリンクの確立により、専用アプリケーションソフトで設定されたデータ例えば、アドレス帳データの送信を携帯電話機４側に要求する。
【００３０】
携帯電話機４は、ＤＣＨを開き、要求データとして例えば、アドレス帳データを電子機器６側に送る。データの伝送、そのデータの保存終了後、そのメッセージの送信とともに、ＤＣＨ接続を切断する。この結果、携帯電話機４側の保存すべきデータのバックアップが完了する。
【００３１】
また、保存データを電子機器６から携帯電話機４側に呼び出す場合には、同様に、携帯電話機４から携帯電話機４の識別情報等を搭載したＲＡＣＨを送信する。電子機器６はそのＲＡＣＨを受信し、電子機器６側では予め登録されている携帯電話機４の識別情報とを比較する認証処理を行い、既述のＦＡＣＨ／ＲＡＣＨを用いて両者間の接続を確立する。即ち、ＤＣＨリンクを確立させ、携帯電話機４から電子機器６に対し、要求データとして例えば、アドレス帳データの送信を要求する。データの送信終了後、ＤＣＨ接続を切断する。
【００３２】
次に、本発明に係るデータバックアップシステム、そのデータバックアップ方法及びそのデータバックアッププログラムについて、図５を参照して説明する。図５は、報知情報、その認識及びバックアップ等の処理タイミングを示す図である。
【００３３】
図５のＡに示すように、予め電子機器６の処理として、電子機器６側の専用アプリケーションソフトを動作させ、データバックアップ処理の前提となる認証に必要な識別情報ＩＤを含む報知情報ＡＩを一定の周期Ｐで送信する。報知情報ＡＩは、既述の通り、パスワード、ＩＭＥＩ等の識別情報ＩＤが含まれる。報知情報ＡＩが送信される周期Ｐは例えば、１分程度である。
【００３４】
また、携帯電話機４側では例えば、図５のＢに示すように、電子機器６から到来する報知情報ＡＩを周期的に監視しており、Ｔonは監視態勢にある監視時間、Ｔoff はその休止時間である。監視時間Ｔonにおいて、報知情報ＡＩを認識することができる。監視時間Ｔonは、電子機器６側の報知情報ＡＩの周期Ｐと一致させてもよく、また、不一致としてもよい。
【００３５】
報知情報ＡＩが携帯電話機４に認識されると、例えば、図５のＣに示すように、データバックアップ処理ＢＭが実行される。データバックアップ処理ＢＭにおいて、携帯電話機４のデータが電子機器６側に保存される。このデータバックアップ処理ＢＭが完了すると、その完了時点から報知情報ＡＩの最初の送信までの間に休止時間Ｓが設定され、この休止時間Ｓでは、監視時間Ｔonの到来に無関係に報知情報ＡＩの送信が停止され、データバックアップ処理ＢＭは実行されない。休止時間Ｓは例えば、６時間程度である。
【００３６】
このように、携帯電話機４側の報知情報ＡＩの周期的な監視により、電子機器６と携帯電話機４との接続のチャンスが拡大され、迅速なデータバックアップ処理が可能になるとともに、監視の休止時間Ｔoff とデータバックアップ後の休止時間Ｓの設定により、データバックアップの繰返しを防止し、携帯電話機４及び電子機器６の電力消費を抑制することができる。バッテリを駆動源に用いている場合には、バッテリの消耗を抑制することができる。
【００３７】
次に、本発明に係るデータバックアップシステム、そのデータバックアップ方法及びそのデータバックアッププログラムについて、図６を参照して説明する。図６は、携帯電話機のデータの電子機器に対する自動保存処理を示す図である。この自動保存処理は、電子機器側の自動処理に基づくデータバックアップ処理である。
【００３８】
このデータバックアップ処理において、バックアップすべきデータとして携帯電話機４の各種データ中、例えば、アドレス帳データ、受信電子メールデータ等を選択する。電子機器６には、バックアップデータの保存場所を登録しておく。電子機器６と携帯電話機４とのデータ通信には、携帯電話機４の通信方式として例えばＷ−ＣＤＭＡの通信方式の電波を用いる。
【００３９】
そこで、初期設定は電子機器６に事前にユーザが搭載させた専用アプリケーションソフトを動作させて行い、その設定内容は、認証に用いる電子機器６及び携帯電話機４のパスワード、携帯電話機４のバックアップすべきデータの種類（及び内容）、ＣＰＩＣＨ／ＢＣＨ（ＡＩ）の発信周期Ｐ、休止時間Ｓ、バックアップデータの保存場所等の各種の入力である。
【００４０】
そして、このようなデータ設定が完了すると、例えば、電源の投入等を条件とし、電子機器６内の携帯電話通信モジュール１０から既述のチャネル推定・同期用のＣＰＩＣＨ、電子機器６側の報知情報ＡＩを含むＢＣＨを送信する（ステップＳ１０１）。報知情報ＡＩは、既述の通り、電子機器６から一定の周期で送信され、識別情報ＩＤを含む（図５のＡ、図７のＡ）。
【００４１】
携帯電話機４は監視時間Ｔonで報知情報ＡＩの到来を監視しており、この監視時間Ｔonで電子機器６側から送信された電波８を感知すると、その電波８が電子機器６のものであるか否か、その内容判別、事前に登録された識別情報ＩＤ等の認証処理を行う（ステップＳ２０１）。認証処理の結果、登録された電子機器６であることが携帯電話機４側で認識できれば、携帯電話機４から電子機器６に対し、ＲＡＣＨで識別情報ＩＤが送信される（ステップＳ２０２、図７のＢ）。
【００４２】
携帯電話機４からの電波８を受信した電子機器６側の携帯電話通信モジュール１０では、受信した識別情報ＩＤを用いて携帯電話機４の認証処理を行い（ステップＳ１０２）、予め登録された携帯電話機４であることが判別すれば、携帯電話機４との間で接続を確立する。即ち、ＦＡＣＨ／ＲＡＣＨで接続処理を双方で行い（ステップＳ１０３、Ｓ２０３、図７のＢ）、予め設定された処理条件を以てデータバックアップ処理を実行する。
【００４３】
このデータバックアップ処理では、電子機器６側の携帯電話通信モジュール１０から携帯電話機４に対し、ＤＣＨで保存すべきデータの送信要求をする（ステップＳ１０４、図７のＣ）。この送信要求を受け、携帯電話機４は、電子機器６に対してＤＣＨでデータを送信する（ステップＳ２０４、図７のＣ）。このデータの受信が終了すると、携帯電話通信モジュール１０からＤＣＨでその終了合図としての終了情報を携帯電話機４に送信する（ステップＳ１０５、図７のＤ）。これによってデータバックアップが完了する。
【００４４】
この処理の後、ＤＣＨで通信接続の切断処理が実行され（ステップＳ１０６、Ｓ２０５、図７のＤ）、次のデータバックアップ処理まで待機することになる。この待機時間が既述の休止時間Ｓ（図５のＣ）に相当する。
【００４５】
ところで、このデータバックアップ処理において、電子機器６側の周期的な報知情報ＡＩの発信とそれに対する携帯電話機４側の応答について、電子機器６からチャネル推定・同期用のＣＰＩＣＨ、報知情報であるＢＣＨが送信されるが、データ伝送媒体に電波を用いている以上、その受信可能地域に両者が存在することが必要である。即ち、携帯電話機４が電子機器６が発信するＣＰＩＣＨの受信可能範囲に入ったとき、ＣＰＩＣＨを受信して同期を取った後、ＢＣＨを受信することができる。この結果、ＢＣＨの内容に基づいて電子機器６の認証処理が行われる。換言すれば、電子機器６が送信する電波８を携帯電話機４で感知し、その電波８が既定の電子機器６から発せられたものであると認識したとき、両者の接続が確立し、この接続は自動的に行われる。接続が確立すれば、データのバックアップ処理は自動的に行われる。この結果、後述の電子機器６に対する携帯電話機４からの接続要求、電子機器６内のデータの携帯電話機４側での利用が可能である。
【００４６】
携帯電話機４側での電子機器６の認証、接続、バックアップデータの送信及び保存が実行され、バックアップデータとして例えば、アドレス帳データ、メールデータ等、初期設定で指定されたデータが電子機器６側の所定の保存場所、ＨＤＤ等のデータ保存装置２８の所定のアドレスに保存される。そして、保存終了通知の後、切断処理（ＤＣＨ）が実行され、休止時間Ｓ（図５のＣ）に移行する。この休止時間Ｓは初期設定で所望の長さに設定され、この時間内では携帯電話通信モジュール１０の動作が停止され、その起動が禁止される。そして、この休止時間Ｓが経過すると、最初の周期的なＣＰＩＣＨ／ＢＣＨの発信状態に戻る。なお、ユーザの要求により任意の時間に休止を解除するようにしてもよい。
【００４７】
次に、本発明に係るデータバックアップシステム、そのデータバックアップ方法及びそのデータバックアッププログラムについて、図８を参照して説明する。図８は、携帯電話機からの要求によるデータ保存処理を示すフローチャートである。
【００４８】
既述の認証処理（図６）の後、携帯電話機４からＲＡＣＨで接続要求をする（ステップＳ２１１）。携帯電話機４から送信された電波８を受信した携帯電話通信モジュール１０では、ＲＡＣＨに含まれている識別情報ＩＤにより携帯電話機４の認証処理を行い、予め登録されている携帯電話機４であることが判別すれば、携帯電話機４との間でＦＡＣＨ／ＲＡＣＨで接続処理を双方で行う（ステップＳ１１１、Ｓ２１２）。
【００４９】
この接続を確立すると、携帯電話通信モジュール１０から携帯電話機４に対し、ＤＣＨで保存すべきデータの送信要求が行われ（ステップＳ１１２）、この送信要求に対応し、携帯電話機４は、電子機器６に対してＤＣＨでデータを送信する（ステップＳ２１３）。このデータの受信が終了すると、携帯電話通信モジュール１０からＤＣＨでその終了合図としての終了情報を携帯電話機４に送信する（ステップＳ１１３）。この結果、データバックアップが完了する。
【００５０】
この処理の後、ＤＣＨで通信接続の切断処理が実行され（ステップＳ１１４、Ｓ２１４）、同様に、次のデータバックアップ処理まで待機することになる。
【００５１】
このように、携帯電話機４からのデータバックアップ要求に対応し、電子機器６からの自動バックアップ処理と同様に、携帯電話機４のデータのバックアップ処理が行われる。この場合、携帯電話機４からのデータバックアップ要求は、任意に携帯電話機４のユーザの操作によって行えるが、このデータバックアップ処理の完了後、同様に、休止時間Ｓに移行し、休止時間Ｓの経過後、既述したデータバックアップ処理が実行されることになる。
【００５２】
次に、本発明に係るデータバックアップシステム、そのデータバックアップ方法及びそのデータバックアッププログラムについて、図９を参照して説明する。図９は、電子機器の保存データの呼出し処理を示すフローチャートである。
【００５３】
このデータの転送処理は、携帯電話機４からの呼出し要求に基づいて実行される。既述の認証処理（図６）の後、携帯電話機４からＲＡＣＨで接続要求をする（ステップＳ２２１）。携帯電話機４から送信された電波８を受信した携帯電話通信モジュール１０では、ＲＡＣＨに含まれている識別情報ＩＤにより携帯電話機４の認証処理を行い、予め登録されている携帯電話機４であることが判別すれば、携帯電話機４との間でＦＡＣＨ／ＲＡＣＨで接続処理を双方で行う（ステップＳ１２１、Ｓ２２２）。
【００５４】
この接続を確立すると、携帯電話機４から携帯電話通信モジュール１０に対し、ＤＣＨで転送すべきデータの送信要求が行われ（ステップＳ２２３）、この送信要求に対応し、携帯電話通信モジュール１０は、携帯電話機４に対してＤＣＨでデータを送信する（ステップＳ１２２）。このデータの受信が終了すると、携帯電話機４からＤＣＨでその終了合図としての終了情報を携帯電話通信モジュール１０に送信する（ステップＳ２２４）。この結果、データ転送が完了する。
【００５５】
この処理の後、ＤＣＨで通信接続の切断処理が実行される（ステップＳ１２３、Ｓ２２５）。そして、携帯電話機４では、携帯電話通信モジュール１０から転送されたデータを用いることにより、例えば、消失や既存したアドレス帳データやメールデータを再現し、従前と同様のデータ処理を行うことができる。
【００５６】
次に、本発明に係るデータバックアップシステム、そのデータバックアップ方法及びそのデータバックアッププログラムについて、図１０及び図１１を参照して説明する。図１０及び図１１は、電子機器側の携帯電話機との接続及びデータ転送処理を示すフローチャートである。図１０及び図１１において、Ａ、Ｂ、Ｃ及びＤはフローチャートの連結子を示している。
【００５７】
これら一連の処理は、電子機器６の携帯電話通信モジュール１０側で携帯電話機４のデータバックアップを行うものである。そこで、携帯電話通信モジュール１０では、周期的に報知情報ＡＩを送信するため、発信周期Ｐが経過したか否かを判定し（ステップＳ１）、ＣＰＩＣＨの送信（ステップＳ２）、続いて、ＢＣＨの送信（ステップＳ３）をする。このＢＣＨは、既述の通り、電子機器６の携帯電話通信モジュール１０の専用アプリケーションソフトで指定した識別情報ＩＤを含む報知情報ＡＩであり、識別情報ＩＤにはＩＭＥＩ及びパスワードが含まれる。このＢＣＨを受信した携帯電話機４からＲＡＣＨが送信されるが、このＲＡＣＨを受信したか否かを判定する（ステップＳ４）。このＲＡＣＨを受信した場合には、携帯電話機４から受信した内容と事前に登録された内容とを比較する等、携帯電話機４の認証処理を行う（ステップＳ５）。
【００５８】
この認証処理では、登録済みの携帯電話機４か否かを判定し（ステップＳ６）、登録済みの携帯電話機４である場合には、ＦＡＣＨ／ＲＡＣＨを用いて携帯電話機４と接続処理を行い（ステップＳ７）、ＤＣＨリンクを確立する（ステップＳ８）。この接続確立の後、携帯電話機４からの接続要求（ＲＡＣＨ）の内容が電子機器６からのデータ読み取りであるか否かを判定し（ステップＳ９）、電子機器６からのデータ読み取りでない場合には、ＤＣＨを送信し、携帯電話機４に対してデータの送信要求をする（ステップＳ１０）。送信要求するデータについて、事前にそのデータの種類、範囲等を専用アプリケーションソフトで設定しておくことは既述の通りである。
【００５９】
携帯電話機４の送信データ、即ち、電子機器６からの要求データがエラーを生じることなく、全て受信できたか否かを判定し（ステップＳ１１）、エラーなくデータの受信ができた場合には、その受信データを事前に指定したデータ保存装置２８の保存場所に保存し（ステップＳ１２）、その保存処理の後、携帯電話機４へデータ保存の終了を通知する（ステップＳ１３）。また、データ受信が不完全な場合には、ステップＳ９に戻り、要求データの再送信を要求し、完全なデータ受信が終了するまで、ステップＳ９〜Ｓ１２の処理を実行する。データ保存の終了通知の後、切断処理（ステップＳ１４）を行った後、休止状態に移行し、ＣＰＩＣＨ／ＢＣＨの送信を停止する（ステップＳ１５）。この場合、休止状態においても、定期的にＲＡＣＨのチェックは行う。そこで、携帯電話機４からの接続要求（ＲＡＣＨ）があるか否かを判定し（ステップＳ１６）、接続要求があった場合には休止状態を解除し、データバックアップ処理としてステップＳ５以下の処理を実行する。接続要求がない場合には、休止時間Ｓが経過するまで、その休止状態を維持し（ステップＳ１７）、休止時間Ｓが経過した後、一連の処理を終了して初期状態に復帰し、ステップＳ１以下の処理が繰り返される。
【００６０】
また、ステップＳ９において、携帯電話機４からの接続要求（ＲＡＣＨ）の内容が電子機器６からのデータ読み取りであった場合には、携帯電話機４に要求されたデータをＤＣＨで送信する（ステップＳ１８）。このＤＣＨの送信によるデータ転送が終了するまで、その送信状態が維持され（ステップＳ１９）、データ転送の終了後、終了合図を携帯電話機４に送信し（ステップＳ２０）、ステップＳ１４に移行して切断処理が実行される。
【００６１】
次に、本発明に係るデータバックアップシステム、そのデータバックアップ方法及びそのデータバックアッププログラムについて、図１２及び図１３を参照して説明する。図１２及び図１３は、携帯電話機側の携帯電話通信モジュールとの接続及びデータ転送処理を示すフローチャートである。図１２及び図１３において、Ｅはフローチャートの連結子を示している。
【００６２】
この処理では、携帯電話機４側から電子機器６の携帯電話通信モジュール１０に接続要求をするか否かを判定する（ステップＳ３１）。この場合、接続要求には携帯電話機４のデータの保存か、電子機器６からのデータの読出しかの内容を含む。接続要求をしない場合には通常の動作として定期的に周辺に電子機器６や他の携帯電話機の存在を検索し（ステップＳ３２）、ＣＰＩＣＨの受信（ステップＳ３３）、ＢＣＨの受信（ステップＳ３４）を行い、受信したＢＣＨが対向装置である電子機器６からのＢＣＨか否かを判定する（ステップＳ３５）。このＢＣＨが電子機器６からでない場合にはステップＳ３１に戻り、電子機器６である場合には受信した内容と事前に登録された内容とを比較する等、電子機器６の認証処理を行い、登録済みの電子機器６か否かを判定する（ステップＳ３６）。この場合、ステップＳ３１で接続要求をした場合には、同様にこのステップＳ３６に移行する。
【００６３】
受信したＢＣＨから登録済みの電子機器６であると判定した場合には、ＲＡＣＨで携帯電話機４側のＩＭＥＩ及びパスワード等、識別情報ＩＤを携帯電話通信モジュール１０に対して送信し（ステップＳ３７）、電子機器６からＦＡＣＨで接続要求があるか否かを判定する（ステップＳ３８）。この場合、認証処理後のＲＡＣＨの接続要求は携帯電話機４のデータ保存とする。電子機器６からの接続要求の場合にはＦＡＣＨ／ＲＡＣＨを用いて電子機器６と接続処理を行い（ステップＳ３９）、ＤＣＨリンクを確立する（ステップＳ４０）。
【００６４】
また、接続要求（ＲＡＣＨ）が電子機器６からのデータ読み出しであるか否かを判定し（ステップＳ４１）、電子機器６からのデータ読み出しである場合には、ＤＣＨでデータ送信要求をする（ステップＳ４２）。要求したデータの全てがエラーを生じることなくデータ受信が行われたか否かを判定し（ステップＳ４３）、データが完全に受信されていない場合にはステップＳ４２に戻り、再度、ＤＣＨでデータの送信要求をする。要求したデータの全てがエラーを生じることなく受信できた場合には、終了合図を受けたか否かを判定し（ステップＳ４４）、データ受信完了を表示装置２２の画面に表示し（ステップＳ４５）、受信したデータをデータ保存装置１８の所定のアドレスに保存し（ステップＳ４６）、切断処理を行った（ステップＳ４７）後、処理を完了し、最初のステップＳ３１に戻る。
【００６５】
また、ステップＳ４１で電子機器６からのデータ読出しでなかった場合には、電子機器６からのデータの送信要求があるか否かを判定し（ステップＳ４８）、要求されたデータをＤＣＨで送信する（ステップＳ４９）。転送終了か否かを判定し（ステップＳ５０）、終了合図を受けたか否かを判定し（ステップＳ５１）、終了合図を受けた場合には、データ保存完了を表示装置２２の画面に表示し（ステップＳ５２）、切断処理を行い（ステップＳ４７）、処理を完了し、同様に最初のステップＳ３１に戻る。また、ステップＳ４８で電子機器６からのデータ送信要求がなかった場合にも、切断処理を行い（ステップＳ４７）、処理を完了して最初のステップＳ３１に戻ることになる。
【００６６】
以上説明した実施形態について、その特徴事項や変形例等を以下に列挙する。
【００６７】
(1) 上記実施形態に示したように、電子機器６に通信機能として携帯電話通信モジュール１０を搭載し、それを用いて携帯電話（cell phone）の通信方式として例えばＷ−ＣＤＭＡの電波を用いて報知情報を送信し、それを感知した携帯電話機４が自動的に電子機器６との直接接続を確立させ、携帯電話機４側に蓄積、保存されているデータ例えば、電話帳データ、作成資料、電子メールデータ等の各種データから予めバックアップすべきことを指定、その登録をしたデータを電子機器６に自動送信し、電子機器６のデータ保存機能を利用し、送信されたデータのバックアップを実現している。このバックアップデータは、同様の処理で最新データに更新することが可能である。そして、電子機器６にバックアップされたデータは、携帯電話機４から読み出し、携帯電話機４側で活用することができる。
【００６８】
(2) このような構成とすれば、電子機器６や携帯電話機４の既存の通信機能を活用でき、新たなデバイスの追加を省き、コストやサイズの増大を防止できる。これは、Bluetooth モジュールを用いた場合に比較し、デバイスの増加がない点で有利である。
【００６９】
(3) 携帯電話機４のデータを自動的にバックアップ処理を行うことにより、バックアップ作業の手間を省き、電子機器６に保存されるバックアップデータを最新データに更新し、保持することができる。
【００７０】
(4) データの保存先である電子機器６と携帯電話機４とをダイレクトに接続するので、課金系統の介在がなく、通信料金の発生を防止できる。
【００７１】
(5) 携帯電話機４の送信電力は数ｋｍ程度の到達距離を持つことから、この通信機能を使用することで、ある程度離れた場所にある電子機器６との間でデータのバックアップを行うことができる。
【００７２】
(6) 携帯電話の電波が届く範囲内に携帯電話機４及び電子機器６が存在すれば、電子機器６に保存されているデータを携帯電話機４に読み出して任意に参照することができ、携帯電話機４側のデータの滅失や損傷等に迅速に対応することができる。
【００７３】
(7) 上記実施形態では、電子機器６としてパーソナルコンピュータを例示して説明したが、通信機能やデータの保存機能を持つ機器であれば、どのような電子機器でもよく、電子機器は、上記実施形態に例示した機器に限定されるものではなく、携帯電話機４と同様に端末装置を用いてもよい。即ち、携帯電話機間によるデータバックアップも可能である。
【００７４】
(8) 上記実施形態では、端末装置として携帯電話機４を例示して説明したが、保存すべきデータを蓄積する端末装置としては、通信機能を備えたパーソナルコンピュータ、ＰＤＡ、ディジタルカメラ、時計等、通信機能を持つ端末機器であれば、何れのものでもよい。
【００７５】
(9) 上記実施形態では、携帯電話機４と電子機器６とを携帯電話機４側の既存の移動体通信用帯域の電波８を使用してダイレクトに接続を確立し、通信方式としてＷ−ＣＤＭＡを例示したが、通信方式は、Ｗ−ＣＤＭＡに限定されるものではなく、また、報知情報やダイレクト接続、バックアップデータの授受が可能な電波であればよく、通信方式も何れのものでもよい。
【００７６】
(10)  データ保存装置として電子機器６側はＨＤＤ、携帯電話機４側はフラッシュメモリを例示したが、データ保存装置の構成としてはＨＤＤやフラッシュメモリ以外の記録媒体を用いてもよい。
【００７７】
次に、以上述べた本発明の端末装置、そのデータバックアップシステム、そのデータバックアップ方法及びそのデータバックアッププログラムの各実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００７８】
（付記１）  データ保存機能と通信機能とを備える電子機器に前記通信機能により接続する通信部と、
前記電子機器に対し、保存すべきデータを前記通信部に送信させるデータ処理部と、
を備え、前記電子機器に前記データを保存させる構成としたことを特徴とする端末装置。
【００７９】
（付記２）  前記データ処理部は、前記電子機器から送信される報知情報を所定の時間間隔で監視する構成としたことを特徴とする付記１記載の端末装置。
【００８０】
（付記３）  端末装置に蓄積されるデータをバックアップする、端末装置のデータバックアップシステムであって、
データ保存機能と通信機能とを備える電子機器とともに端末装置を備え、
前記端末装置は、前記電子機器に前記通信機能により接続して通信を行う通信部と、この通信部を通して保存すべきデータを送信させるデータ処理部とを備えることにより、前記電子機器に前記データを保存させる構成としたことを特徴とする端末装置のデータバックアップシステム。
【００８１】
（付記４）  端末装置に蓄積されるデータをバックアップする、端末装置のデータバックアップ方法であって、
データ保存機能と通信機能とを備える電子機器に前記通信機能により接続して通信を行う通信処理と、
保存すべきデータを送信させるデータ処理と、
を含むことを特徴とする端末装置のデータバックアップ方法。
【００８２】
（付記５）  端末装置に蓄積されるデータをバックアップする、端末装置のデータバックアッププログラムであって、
データ保存機能と通信機能とを備える電子機器に対し、前記通信機能を用いて前記端末装置を接続させるステップと、
接続した前記電子機器に対し、前記端末装置から保存すべきデータを伝送させるステップと、
を含むことを特徴とする端末装置のデータバックアッププログラム。
【００８３】
（付記６）  端末装置に蓄積されるデータをバックアップする、端末装置のデータバックアッププログラムであって、
前記データを保存すべき電子機器に予め登録された固有の情報により前記端末装置を特定するステップと、
特定された前記端末装置から伝送されたデータを前記電子機器のデータ保存場所に保存させるステップと、
を含むことを特徴とする端末装置のデータバックアッププログラム。
【００８４】
（付記７）  前記データ処理部は、特定の電子機器の識別に基づき、前記保存すべきデータを前記電子機器に送信させる構成としたことを特徴とする付記１記載の端末装置。
【００８５】
（付記８）  前記電子機器は、周期的に報知情報を送信する構成としたことを特徴とする付記１記載の端末装置。
【００８６】
（付記９）  前記電子機器は、前記端末装置のデータを保存した場合、その保存から所定時間が経過するまで、報知情報の送信を休止させる構成としたことを特徴とする付記１記載の端末装置。
【００８７】
（付記１０）  前記データ処理部は、特定の電子機器の識別に基づき、前記保存すべきデータを前記電子機器に送信させる構成としたことを特徴とする付記３記載の端末装置のデータバックアップシステム。
【００８８】
（付記１１）  前記電子機器は、周期的に報知情報を送信する構成としたことを特徴とする付記３記載の端末装置のデータバックアップシステム。
【００８９】
（付記１２）  前記電子機器は、前記端末装置のデータを保存した場合、その保存から所定時間が経過するまで、報知情報の送信を休止させる構成としたことを特徴とする付記３記載の端末装置のデータバックアップシステム。
【００９０】
（付記１３）  前記データ処理は、特定の電子機器の識別に基づき、前記保存すべきデータを前記電子機器に送信させる処理を含むことを特徴とする付記４記載の端末装置のデータバックアップ方法。                                                                
【００９１】
（付記１４）  前記電子機器から周期的に報知情報を送信する処理を含むことを特徴とする付記４記載の端末装置のデータバックアップ方法。
【００９２】
（付記１５）  前記電子機器に前記端末装置のデータを保存した場合、その保存から所定時間が経過するまで、報知情報の送信を休止させる処理を含むことを特徴とする付記４記載の端末装置のデータバックアップ方法。
【００９３】
（付記１６）  前記データの保存は、特定の電子機器の識別に基づき、前記保存すべきデータを前記電子機器に送信させるステップを含むことを特徴とする付記６記載の端末装置のデータバックアッププログラム。
【００９４】
（付記１７）  前記電子機器から周期的に報知情報を送信するステップを含むことを特徴とする付記５記載の端末装置のデータバックアッププログラム。
【００９５】
（付記１８）  前記端末装置のデータを保存した場合、その保存から所定時間が経過するまで、報知情報の送信を休止させるステップを含むことを特徴とする付記６記載の端末装置のデータバックアッププログラム。
【００９６】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００９７】
本発明は、端末装置に蓄積される電話帳データ等の各種のデータが、端末装置に用いられる電波により電子機器と端末装置とをダイレクトに接続させて端末装置側から電子機器に自動的に転送されてバックアップされるので、端末装置のデータバックアップの簡易化と利便性が高められ、産業上有用である。
【図面の簡単な説明】
【００９８】
【図１】本発明の実施形態に係る端末装置のデータバックアップシステムの構成を示す図である。
【図２】本発明の実施形態に係る携帯電話機の構成を示すブロック図である。
【図３】電子機器の構成を示すブロック図である。
【図４】電子機器と携帯電話機との接続形態の一例を示すブロック図である。
【図５】電子機器又は携帯電話機の動作形態の一例を示す図である。
【図６】電子機器と携帯電話機との接続及びデータのバックアップ処理を示すフローチャートである。
【図７】電子機器と携帯電話機との接続及びデータのバックアップ処理を示す図である。
【図８】電子機器と携帯電話機との接続及びデータのバックアップ処理を示すフローチャートである。
【図９】電子機器と携帯電話機との接続及び電子機器からのバックアップデータの読出し処理を示すフローチャートである。
【図１０】電子機器側の携帯電話機との通信制御処理及びデータバックアップ処理を示すフローチャートである。
【図１１】電子機器側の携帯電話機との通信制御処理及びデータバックアップ処理を示すフローチャートである。
【図１２】携帯電話機側の電子機器との通信制御処理及びデータバックアップ処理を示すフローチャートである。
【図１３】携帯電話機側の電子機器との通信制御処理及びデータバックアップ処理を示すフローチャートである。
【符号の説明】
【００９９】
２  データバックアップシステム
４  携帯電話機（端末装置）
１０  携帯電話通信モジュール
１４  ＣＰＵ（データ処理部）
１６  ＲＯＭ（データ処理部）
２０  無線部（通信部）
【図１】
2006025249.tif 000003
【図２】
2006025249.tif 000004
【図３】
2006025249.tif 000005
【図４】
2006025249.tif 000006
【図５】
2006025249.tif 000007
【図６】
2006025249.tif 000008
【図７】
2006025249.tif 000009
【図８】
2006025249.tif 000010
【図９】
2006025249.tif 000011
【図１０】
2006025249.tif 000012
【図１１】
2006025249.tif 000013
【図１２】
2006025249.tif 000014
【図１３】
2006025249.tif 000015